(57)【特許請求の範囲】
【請求項１】
上部が天井に架設したガイドレールに案内され下部が床面に走行自在のキャスタにより支持されたパネル同士が、その側端面が相互に接合し合って複数連接することにより部屋内を仕切る連接式間仕切り装置において、
複数連接することにより部屋内を仕切る際に、連接接合した最終パネルの端部と壁面との間で形成される隙間を閉塞する回転パネルであって、該回転パネルが、少なくとも上方で前記ガイドレールに対して水平回転可能に支持され、かつ連設時及び開放時に床に対して回動不能に係止されるもので、前記回転パネルは、前記最終パネルとの接合側端面において中央部が一部突出した形状であり、前記回転パネルの接合側端面における前記中央部以外の側端面から落し操作ピンが突出していることを特徴とする連接式間仕切り装置における回転パネル。
【請求項２】
前記回転パネルは、床に対しても水平回転可能に支持されている請求項１に記載の連接式間仕切り装置における回転パネル。
【請求項３】
前記回転パネルは、前記ガイドレールに対し上部枢軸により、前記床に対しては該上部枢軸と同一軸線上にある下部枢軸により水平回転可能に支持されている請求項２に記載の連接式間仕切り装置における回転パネル。
【請求項４】
前記回転パネルは、バネの弾力により床面に向けて押圧付勢されている請求項１ないし３の何れかに記載の連接式間仕切り装置における回転パネル。
【請求項５】
前記最終パネルの接合側端面には凹部が形成され、該凹部内に前記回転パネルの落し操作ピンに対向して落し操作ピンが突設し、双方の落し操作ピンが少なくとも前記接合側端面以下の高さに形成されている請求項１ないし４の何れかに記載の連接式間仕切り装置における回転パネル。
【発明の詳細な説明】
【０００１】
【発明の属する技術分野】
本発明は、上部が天井に架設したガイドレールに沿って移動するパネル同士を、その側端面が相互に接合し合って複数連接することにより部屋内を衝立や展示パネル等として使用することができる連接式間仕切り装置における回転パネルに関する。
【０００２】
【従来の技術】
従来の部屋内を仕切る連接式間仕切り装置としては、パネル上部を天井に架設したガイドレールに案内支持させ、パネル下部は床面に対して若干の隙間を介して吊支されながら移動するものが知られていた。そして、ガイドレールはパネル重量を支えるために、天井内部の梁等を利用して曲げ剛性の高い堅牢なレールとして構築されていた。部屋の間仕切りに際しては、パネルを順次ガイドレールに沿って移動させ、パネル側端面同士を必要枚数連接させ、パネル下部は落し部材等を用いて床に固定して間仕切り装置を立設していた。
【０００３】
しかしながら、前記従来の移動パネル連接式間仕切り装置は、ガイドレールを堅牢に構築しなければならないため、その配設箇所が限定されるばかりでなく、取付け作業も大がかりとなり、既設の建物に取り付けるにはコスト高であった。
【０００４】
そこで、発明者等は鋭意研究の結果、パネルの下部を床面に走行自在のキャスタにより支持するよう構成することで、ガイドレールに作用するパネルの自重を大幅に軽減しガイドレールを天井の任意の箇所に架設することができるようにしたパネル連接式間仕切り装置を開発した。
【０００５】
ところが図８示すように、複数のパネル０２の連設接合によって間仕切りされる建物の部屋内の間隙は、各種寸法で形成されているため規格形状のパネル０２ａ、０２ｂ…の横幅の整数倍にならないことから、最終パネル０２ａと壁面Ｗとの間には半端な隙間Ｄが形成されることになる。
【０００６】
従来は、このような隙間Ｄを閉塞するための方法として、隙間Ｄに取外し可能な専用の衝立を配置するか、最終パネル０２ａ内部に側端面から出し入れ可能な引出しパネルを収容して、この引出しパネルを人為的に引出して閉塞するか、または最終パネル０２ａに設けた操作ハンドルの回転操作により引出しパネルを自動的に出し入れ操作できるような方法が採られていた。
【０００７】
【発明が解決しようとする課題】
しかしながら、専用の衝立による閉塞方法では、隙間を完全に閉塞することはできず、しかも立設状態で置かれるために安定性が悪く、不使用時の置き場所にも問題があった。また、最終パネル０２ａ内部に引出しパネルを側端面から出し入れ可能な収容して隙間Ｄを閉塞する方法では、人為的に出し入れする操作が困難となる問題を有している。
【０００８】
加えて、操作ハンドルの回転操作により引出しパネルを自動的に出し入れ操作する方法では、最終パネルが操作ハンドルによる連動機構が内部に組み込まれた複雑な構成となる問題を有していた。
【０００９】
本発明は、このような問題点に着目してなされたもので、パネル同士を複数連接することにより部屋内を間仕切りする際に、最終パネルと壁面とで形成される間隙を、簡単な操作で開閉することができるとともに、開閉時において大掛かりな装置を用いずに単純な構成で確実に保持することができる連接式間仕切り装置における回転パネルを提供することを目的とする。
【００１０】
【課題を解決するための手段】
上記課題を解決するために、本発明の連接式間仕切り装置における回転パネルは、上部が天井に架設したガイドレールに案内され下部が床面に走行自在のキャスタにより支持されたパネル同士が、その側端面が相互に接合し合って複数連接することにより部屋内を仕切る連接式間仕切り装置において、
複数連接することにより部屋内を仕切る際に、連接接合した最終パネルの端部と壁面との間で形成される隙間を閉塞する回転パネルであって、該回転パネルが、少なくとも上方で前記ガイドレールに対して水平回転可能に支持され、かつ連設時及び開放時に床に対して回動不能に係止されるもので、前記回転パネルは、前記最終パネルとの接合側端面において中央部が一部突出した形状であり、前記回転パネルの接合側端面における前記中央部以外の側端面から落し操作ピンが突出していることを特徴としている。
この特徴によれば、閉塞時には、回転操作により最終パネルの端部と壁面との間で形成される隙間に嵌まり込んだ状態で保持されるので、簡単な操作で隙間を閉塞することができ、また、開放時には回転を戻して壁面と平行な状態に立設しておけるので、場所をとらないため通行の障害となることがなく、更に回動不能に係止されているので、回転パネルの連設時にも、開放時においても確実に床に保持されるので安全である。そして回転パネルが、最終パネルと接合状態にあったとしても、落とし用操作ピンの操作を外部から支障なく行うことができる。
【００１１】
本発明の連接式間仕切り装置における回転パネルは、前記回転パネルが、床に対しても水平回転可能に支持されていることが好ましい。
このようにすれば、回転パネルが、上下両方で水平回転可能に支持されているので、安定した状態で回動操作することができる。
【００１２】
本発明の連接式間仕切り装置における回転パネルは、前記回転パネルが、前記ガイドレールに対し上部枢軸により、前記床に対しては該上部枢軸と同一軸線上にある下部枢軸により水平回転可能に支持されていることが好ましい。
このようにすれば、上下２つの枢軸を回動軸としているので、比較的重量があるパネルに対してもより安定した状態で回動操作を行うことができる。
【００１３】
本発明の連接式間仕切り装置における回転パネルは、前記回転パネルが、バネの弾力により床面に向けて押圧付勢されていることが好ましい。
このようにすれば、バネを圧縮してパネルをガイドレールに組付けができるので組立が楽であり、組み付け後の安定性が良くなり床面の多少の凹凸に対しても対応することができる。
【００１５】
本発明の連接式間仕切り装置における回転パネルは、前記最終パネルの接合側端面には凹部が形成され、該凹部内に前記回転パネルの落し操作ピンに対向して落し操作ピンを突設し、双方の落し操作ピンが少なくとも前記接合側端面以下の高さに形成されていることが好ましい。
このようにすれば、回転パネルないし最終パネルの落し操作ピンが各パネルの同一側面に配置されるので操作性が向上する。
【００１６】
【発明の実施の形態】
以下、本発明の実施例を図面に基づいて説明する。
【００１７】
図１〜図７は、本発明の一実施形態を示すもので、図１は本発明が適用された間仕切り装置を構成するパネルユニットの正面図、図２は間仕切り装置の収容部内から取り出されたパネルがガイドレールに案内されて間仕切を行う状態を示す斜視図、図３は間仕切りにより最終パネルと壁面とで形成される隙間を回転パネルにより閉塞する状態を示す説明図、図４は回転パネルの接合側端面に設けられる挿入ロッドを示す斜視図、図５は回転パネルを回転可能に支持する支持構造を示す部分断面の側面図、図６は図５のＡ−Ａ断面図、図７の（ａ）は操作ピンが設けられた回転パネルと最終パネル接合端面が接合前の状態を示す断面図であり、（ｂ）は回転パネルと最終パネルの接合端面が互いに接合した状態を示す断面図である。
【００１８】
図１及び図２に示す符号１は、間仕切り装置を示し、この間仕切り装置１は、上部が天井３に架設したガイドレール４に案内され下部が床面６に走行自在のキャスタＣ１、Ｃ２により支持されたパネル２ａ、２ｂ同士が、その側端面が相互に接合し合って複数連接することにより部屋内を仕切るように構成されている。
【００１９】
図１に示すパネル２ａ、２ｂは、矩形状の薄い中板１３の上下両端には、アルミサッシなどで構成された上部フレームＦＵ及び下部フレームＦＤが装着され（図６参照）、左右両側端から若干突出した中板１３の左右両側端にはアルミサッシなどで構成されたサイドフレームＦＲ、ＦＬが装着されている（図７参照）。
【００２０】
パネル２ａ、２ｂ左右のサイドフレームＦＲ、ＦＬ上端には、ガイドローラ５ａ、５ｂが垂直軸線の回りに回転可能に軸支されて突設し、ガイドレール４に移動可能に挿嵌されている。また、パネル２ａ、２ｂの下部フレームＦＤ内部には床面６上を走行するキャスタＣ１、Ｃ２が前後に配置されている。
【００２１】
各パネル２ａ、２ｂには、図１に示すように、間仕切り時における進行方向後端側となる一方のパネル２ａのサイドフレームＦＲ下端には挿入ロッド１０が上下方向に移動自在に設けられ、この挿入ロッド１０に人為的に操作可能な操作ピン８を一体的に設けて落し部材が構成され、挿入ロッド１０は、操作ピン８の操作により上下方向に移動自在となっている。
【００２２】
この挿入ロッド１０は、操作ピン８による人為的な落し込み操作によって床面６の所定位置に予め埋め込まれた受け坪１２に挿入可能となっている。
【００２３】
パネル２ａ、２ｂの、一方のパネル２ａのサイドフレームＦＲ下方の中央部に形成される図示しない縦長の長孔から操作ピン８が挿通突出している。また、このサイドフレームＦＲに対応する他方のパネル２ｂのサイドフレームＦＬには、前記操作ピン８が挿通可能な縦長の長孔が形成されており、パネル２ａ、２ｂ同士の側端面が相互に接合し合った際に操作ピン８のいかなる操作位置でも受け入れ可能な構成となっている。
【００２４】
次に、図３により、回転パネル２ｃにつき説明する。この回転パネル２ｃは、連接式間仕切り装置の最終パネル２ｂ′と壁面Ｗとで形成される間隙を回転によって閉塞するもので、回転パネル２ｃは、片側端部に設けられる垂直な回転部（詳細は後述する）がガイドレール４の延長線上にある壁面Ｗ側近傍の天井と床面６の間で回転可能に軸支されている。
【００２５】
一方、図４に示されているように、最終パネル２ｂ′と接合する回転パネル２ｃのサイドフレームＦ′Ｌの下方には、受け坪１２に挿入可能な挿入ロッド１０が上下方向調整可能に設けられており、この挿入ロッド１０には、この側面に操作ピン９ｂが一体に突設している。この操作ピン９ｂは、回転パネル２ｃの接合側端面下方の幅方向に偏心した位置に形成される縦長の孔より外部に挿通突設し、上下方向に操作可能となっている。
【００２６】
更に詳しくは、図７の（ａ）、（ｂ）に示すように、この操作ピン９ｂは、サイドフレームＦ′Ｌの接合面側に形成された縦長の長孔を通してサイドフレームＦ′Ｒ中央の突出部の突出高さ近傍まで突出している。
【００２７】
また、最終のパネル２ｂ′側端面のサイドフレームＦＲ内部の突出部以外の側端部に配置される挿入ロッド１０の側面にも、先の回転パネル２ｃの操作ピン９ｂに対応する位置に、縦長の長孔を通して操作ピン９ａがサイドフレームＦＲ中央の突出部の突出高さ近傍まで突出している。
【００２８】
更に、回転パネル２ｃの下部フレームＦＤ内部には、挿入ロッド１０の近傍に図示しないキャスタが配設されており、回転パネル２ｃの開閉時において、回転する回転パネル２ｃの回転操作を円滑にしている。
【００２９】
また、回転パネル２ｃの上部フレームＦＵには、図５及び図６に示すように、水平支持部１８の上端面両側に長手方向に沿って所定高さのブラシ体２２ａ、２２ｂが、ブラシ体支持部１８ａ、１８ｂに垂直に植設されている。なお、回転パネル２ｃのサイドフレームＦ′Ｌ、Ｆ′Ｒの上端部には、例えばスポンジなどで構成されるシール部材Ｆが取付けられ、天井３と壁面Ｗ、或いは最終パネル２ｂ′とで形成される角部の隙間を隠蔽している。
【００３０】
次に回転パネル２ｃの回転部につき詳述する。すなわち、図５及び図６に示すように、上部フレームＦＵ内の水平支持部１８の、壁面Ｗ側の下面に支持装置２０が取付けられており、この支持装置２０は、下端が開口するコ字形断面の水平部材２４と、この水平部材２４の内部に装着された角ブロック２５から成る水平取付け部材２６と、この水平取付け部材２６に直交して溶接接合され上部フレームＦＵの側端面にサイドフレームＦ′Ｒの内部において該サイドフレームＦ′Ｒと共に取付けられる垂直取付け部材２８とから構成されている。
【００３１】
垂直取付け部材２８は、縦長矩形の鋼板の両端を折曲して両側にフランジ２８ａ、２８ｂを形成すると共に、幅方向中央に下方を向く切欠き部３０より外方に向けて水平に挿通突設した水平取付け部材２６の端部が溶接接合されている。
【００３２】
水平取付け部材２６には、上下に貫通するガイド孔２６ａに、下端にフランジ３２ａが形成された上部枢軸３２を下方から挿通し、この上部に挿通した上部枢軸３２に上方から外装した圧縮コイルバネ３４を、上部枢軸３２を横切るよう貫挿したピンＰにより皿座金を介して支持装置２０上面との間で圧縮状態に付勢する。これにより、回転パネル２ｃは、圧縮コイルバネ３４の付勢力により床面６に向けて押圧付勢される。
【００３３】
回転パネル２ｃ上部枢軸３２の軸線上下方には下部枢軸３３が対応して装着されている。この下部枢軸３３は、回転パネル２ｃの壁側端部の下部フレームＦＤ内部下端に一端がサイドフレームＦ′Ｒ内部に臨むように水平に取付けられたコ字形のブラケット３６に垂直に貫通して螺着されている。
【００３４】
詳しくは、この下部枢軸３３は、中間にブラケット３６に螺合するためのねじ部３３ａが形成されてその上部には小径段付き軸３３ｂが形成され、ねじ部３３ａの下方には下端に小径軸を設けた大径部が形成されている。
【００３５】
ブラケット３６の端部には、ストッパボルトＢが挿通螺合しており、そのストッパボルトＢの先端が下部枢軸３３の小径段付き軸３３ｂの側面に接触するように、複数の皿座金３８を介して軸方向に位置決めされている。
【００３６】
従って、下部枢軸３３を回転させて進退移動させる際に、この下部枢軸３３の上限位置を、ストッパボルトＢの先端と小径段付き軸３３ｂの段付き部との当接によって制限している。
【００３７】
そこで、回転パネル２ｃの回転部を壁面Ｗ側に取付ける際は、ガイドローラ５ｂを壁面Ｗ側のガイドレール４端部の開放端から挿入し、このガイドレール４の端面にプラグＰＧを装着することで、ガイドローラ５ｂをプラグＰＧに突き当てた状態で保持する。
【００３８】
この状態で、圧縮コイルバネ３４を圧縮しつつ回転パネル２ｃを持ち上げて、下部枢軸３３下端の小径軸を床面６の所定位置に予め埋め込まれた受け坪１２に対応させる。
【００３９】
次いで、回転パネル２ｃを下降させることより、下部枢軸３３の細径部は圧縮コイルバネ３４の付勢力の作用と回転パネル２ｃの自重により受け坪１２に挿嵌される。
【００４０】
この状態で回転パネル２ｃは、下部枢軸３３下端の小径軸と大径部との間で形成された段付き部が受け坪１２上面で支持されており、そこで、ナットＮを緩めて下部枢軸３３を回転させることで、回転パネル２ｃを若干上方に移動させて上部枢軸３２下端のフランジ３２ａと水平部材２４の角ブロック２５の下面との間に微少隙間が形成される程度に調整し、ガイドレール４に回転パネル２ｃの自重が作用しないように調整する。これにより、回転パネル２ｃは圧縮コイルバネ３４に押圧付勢された状態で回転可能に支持される。
【００４１】
次に上記のように構成された本発明の回転パネルの作用を、連接式間仕切り装置との関連において説明する。
【００４２】
先ず、間仕切り装置１は、部屋内をパネル２ａ、２ｂ…により区画する際は、図１、図２に示すように、収容領域ＰＬ内から１枚ずつパネル２ａ、２ｂが取り出される。取り出された最初のパネル２ａは、ガイドレール４に案内されて下部のキャスタＣ１、Ｃ２が床面６上を走行し、仕切られる部屋の端部壁面Ｗに接合する。
【００４３】
この最初のパネル２ａが仕切られる部屋の端部壁面に接合すると、図１に示すように、このパネル２ａのサイドフレームＦＲ下端の挿入ロッド１０を操作ピン８の人為的な操作で下方に移動させて受け坪１２に挿入する。
【００４４】
次に、２番目のパネル２ｂの側端面をガイドレール４に沿って移動させて最初のパネル２ａの側端面に接合させると、最初のパネル２ａの側端面から突出している操作ピン８が２番目のパネル２ｂの側端面に形成されている図示しない長孔に挿入し、接合された前後のパネル２ａ、２ｂ同士が操作ピン８により連結される。次いで、順次後続するパネルを連設接合させることにより、部屋内を仕切ることができる。
【００４５】
従って、連接後のキャスタＣ１、Ｃ２によるパネル２ａ、２ｂ下方の移動は、床面６の受け坪１２に挿入ロッド１０を落し込むことによって確実に固定される。しかも操作ピン８が、連接する隣のパネルの側端面の長孔に挿入されるので、パネル相互の床面６に対する移動が確実に阻止される。
【００４６】
複数のパネルが連設接合されて部屋内が間仕切されると、最終のパネル２ｂ′と壁面Ｗとの間に間隙が形成される。そこで、収容領域ＰＬ内に収容されている回転パネル２ｃを回転部である上部枢軸３２及び下部枢軸３３を中心として回転させて、回転パネル２ｃを図示しないキャスタに支持されて最終パネル２ｂ′の接合端面に接触する位置まで走行回転する。
【００４７】
そこで、回転パネル２ｃは、このサイドフレームＦ′Ｌ下端の挿入ロッド１０を操作ピン９ｂの人為的な操作で下方に移動させて対応位置にある受け坪１２に挿入することで、最終パネル２ｂ′と壁面Ｗとで形成される間隙が閉塞される。
【００４８】
従って、本発明の実施形態に係る連接式間仕切り装置における回転パネルによれば、閉塞時において、回転操作により最終パネル２ｂ′の端部と壁面Ｗとの間で形成される隙間に嵌まり込んだ状態で保持されるので、簡単な操作で隙間を閉塞することができ、また、開放時には回転を戻して壁面Ｗと平行な状態に立設しておけるので、場所をとらないため通行の障害となることがなく、更に、上下動可能に設けられた挿入ロッド１０が受け坪１２に落し込まれて、回転パネル２ｃが回動不能に係止されているので、回転パネル２ｃの連設時にも、開放時においても確実に床面に保持されるので安全である。
【００４９】
また、回転パネル２ｃが、ガイドレール４に対し上部枢軸３２ないし下部枢軸３３により水平回転可能に支持されているので、比較的重量があるパネルに対してもより安定した状態で回動操作を行うことができ、かつ、回転パネル２ｃが、上部枢軸３２に外装された圧縮コイルバネ３４を介して床面６に対し押圧付勢状態で保持されるので、組立が楽であり、組み付け後の安定性が良くなり床面の多少の凹凸に対しても対応することができる。
【００５０】
回転パネル２ｃにおける挿入ロッド１０の操作ピン９ｂが、接合側端面の突出した中央部以外の側端面から突出しているので、回転パネル２ｃが、最終パネル２ｂ′と接合状態にあったとしても、落とし用操作ピン９ｂの操作を外部から支障なく行うことができる。
【００５１】
更に、最終パネル２ｂ′の接合側端面には凹部が形成され、該凹部内に回転パネル２ｃの落し操作ピン９ｂに対向して落し操作ピン９ａを突設し、双方の落し操作ピン９ａ、９ｂを接合側端面以下の高さに形成することにより、回転パネル２ｃないし最終パネル２ｂ′の落し操作ピン９ａａ、９ｂが各パネルの同一側面に配置されるので操作性が向上する。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
【発明の効果】
本発明によれば、次のような効果が得られる。
【００５４】
（ａ）請求項１に記載の発明によれば、閉塞時には、閉塞時には、回転操作により最終パネルの端部と壁面との間で形成される隙間に嵌まり込んだ状態で保持されるので、簡単な操作で隙間を閉塞することができ、また、開放時には回転を戻して壁面と平行な状態に立設しておけるので、場所をとらないため通行の障害となることがなく、更に回動不能に係止されているので、回転パネルの連設時にも、開放時においても確実に床に保持されるので安全である。そして回転パネルが、最終パネルと接合状態にあったとしても、落とし用操作ピンの操作を外部から支障なく行うことができる。
【００５５】
（ｂ）請求項２に記載の発明によれば、回転パネルが、上下両方で水平回転可能に支持されているので、安定した状態で回動操作することができる。
【００５６】
（ｃ）請求項３に記載の発明によれば、上下２つの枢軸を回動軸としているので、比較的重量があるパネルに対してもより安定した状態で回動操作を行うことができる。
【００５７】
（ｄ）請求項４に記載の発明によれば、バネを圧縮してパネルをガイドレールに組付けができるので組立が楽であり、組み付け後の安定性が良くなり床面の多少の凹凸に対しても対応することができる。
【００５９】
（ｅ）請求項５に記載の発明によれば、回転パネルないし最終パネルの落し操作ピンが各パネルの同一側面に配置されるので操作性が向上する。
【図面の簡単な説明】
【図１】本発明の一実施形態に係る間仕切り装置を構成するパネルユニットの正面図である。
【図２】間仕切り装置の収容部内から取り出されたパネルがガイドレールに案内されて間仕切を行う状態を示す斜視図である。
【図３】間仕切りにより最終パネルと壁面とで形成される隙間を回転パネルにより閉塞する状態を示す説明図である。
【図４】回転パネルの接合側端面に設けられる挿入ロッドを示す斜視図である。
【図５】回転パネルを回転可能に支持する支持構造を示す部分断面の側面図である。
【図６】図５のＡ−Ａ断面図である。
【図７】（ａ）は操作ピンが設けられた回転パネルと最終パネル接合端面が接合前の状態を示す断面図であり、（ｂ）は回転パネルと最終パネルの接合端面が互いに接合した状態を示す断面図である。
【図８】従来の間仕切り装置を示す斜視図である。
【符号の説明】
１              間仕切り装置
２、２ａ、２ｂ  パネル
２ｂ′          最終パネル
２ｃ            回転パネル
３              天井
４              ガイドレール
５ａ、５ｂ      ガイドローラ
６              床面
８、９ａ、９ｂ  操作ピン
１０            挿入ロッド
１２            受け坪
１３            中板
１８            水平支持部
１８ａ、１８ｂ  ブラシ体支持部
２０            支持装置
２２ａ、２２ｂ  ブラシ体
２４            水平部材
２５            角ブロック
２６            水平取付け部材
２６ａ          ガイド孔
２８            垂直取付け部材
２８ａ          フランジ
３０            切欠き部
３２ａ          フランジ
３２            上部枢軸
３３            下部枢軸
３３ａ          ねじ部
３３ｂ          小径段付き軸
３４            圧縮コイルバネ
３６            ブラケット
３８            皿座金
Ｂ              ストッパボルト
Ｃ１、Ｃ２      キャスタ
Ｆ              シール部材
ＦＤ            下部フレーム
ＦＬ、ＦＲ      サイドフレーム
Ｆ′Ｌ、Ｆ′Ｒ  サイドフレーム
ＦＵ            上部フレーム
Ｎ              ナット
Ｐ              ピン
ＰＬ            収容領域
ＰＧ            プラグ
Ｗ              壁面
【図１】
0004763158.tif 000002
【図２】
0004763158.tif 000003
【図３】
0004763158.tif 000004
【図４】
0004763158.tif 000005
【図５】
0004763158.tif 000006
【図６】
0004763158.tif 000007
【図７】
0004763158.tif 000008
【図８】
0004763158.tif 000009